(57)【要約】【課題】  ＨＤＤが故障してコンテンツ情報が復旧できない場合でも、ネットワーク上の他の端末器によりコンテンツ情報の再取得（復旧）を代行させる記録再生装置を提供する。【解決手段】  ネットワークを介して外部装置Ｓからコンテンツ情報Ｃを取得する通信部１１と、コンテンツ情報Ｃを記憶領域に記録する記録部１８と、記録部のコンテンツ情報が読み出せないことを検出し、通信部又は記録部の機能に障害があり外部装置からコンテンツ情報を再度取得できないと判断した時、ネットワーク上の端末器Ｔ２に外部装置からのコンテンツ情報の再度の取得を代行させるための指示信号を端末器へと送信するべく制御する制御部３０とを有する記録再生装置。【選択図】      図１
2005346124.tif 000002
【特許請求の範囲】
【請求項１】
ネットワークを介して外部装置からコンテンツ情報を取得する通信部と、
前記通信部から取得したコンテンツ情報を記憶領域に記録する記録部と、
前記記録部の前記コンテンツ情報が読み出せないことを検出し、前記通信部又は記録部の機能に障害があり前記外部装置から前記コンテンツ情報を再度取得できないと判断した時、前記通信部を介して、前記ネットワーク上の端末器に前記外部装置からの前記コンテンツ情報の再度の取得を代行させるための指示信号を、前記通信部を介して前記端末器へと送信するべく制御する制御部とを具備することを特徴とする記録再生装置。
【請求項２】
前記通信部は、前記コンテンツ情報を取得する際に、前記外部装置に前記コンテンツ情報を取得しようとするユーザの識別情報を供給し、前記外部装置から、前記コンテンツ情報を再生する際の復号に用いる復号鍵データ）と、ライセンスデータとを前記コンテンツ情報と同時に取得し、
前記制御部は、前記ネットワーク上の端末器に前記コンテンツ情報の再度の取得を代行させる際に、前記ユーザの識別情報と、前記復号鍵データと、ライセンスデータとを、前記ネットワーク上の端末器に供給することを特徴とする請求項１記載の記録再生装置。
【請求項３】
前記ネットワーク上の端末器において、前記再度取得されたコンテンツ情報が前記復号鍵データにより復号されたストリーミング信号を、前記通信部を介して受け、前記ストリーミング信号に基づき再生信号を出力する再生部を更に有することを特徴とする請求項１記載の記録再生装置。
【請求項４】
前記制御部は、前記記録部の前記コンテンツ情報が読み出せないことを検出し、前記通信部又は記録部の機能に障害があり前記外部装置から前記コンテンツ情報を再度取得できないと判断した時、前記通信部を介して、前記ネットワーク上の端末器に前記外部装置が前記コンテンツ情報の再度の取得を代行できるかどうかを判断するための情報を要求すべく、前記通信部を介して前記端末器に要求信号を送信し、
前記判断するための情報を前記端末器から取得し、前記端末器が前記コンテンツ情報の代行が可能と判断した時、前記コンテンツ情報を再生する際の復号に用いる復号鍵データを前記端末器に供給するべく制御することを特徴とする請求項１記載の記録再生装置。
【請求項５】
前記制御部は、前記通信部を介して、前記ネットワーク上の他の端末器から、コンテンツ情報の再度の取得の代行を指示されると、これに応じて前記通信部を介してネットワーク上の外部装置にアクセスして前記コンテンツ情報の再度の取得を行うことを特徴とする請求項１記載の記録再生装置。
【請求項６】
前記制御部は、前記通信部を介して、前記ネットワーク上の他の端末器から、復号鍵データの供給と共にコンテンツ情報の再度の取得の代行を指示されると、これに応じて前記通信部を介してネットワーク上の外部装置にアクセスして前記コンテンツ情報を取得し、取得した前記コンテンツ情報を前記復号鍵データにより復号してストリーム信号を得ると、これを前記通信部を介して、前記他の端末器に送信するべく制御することを特徴とする請求項１記載の記録再生装置。
【請求項７】
前記制御部は、前記通信部を介して、前記ネットワーク上の他の端末器から、この記録再生装置がコンテンツ情報の再度の取得の代行が可能かどうかを判断するための情報を要求されると、この情報を前記通信部を介して前記ネットワーク上の他の端末器に供給するべく制御することを特徴とする請求項１記載の記録再生装置。
【請求項８】
前記コンテンツ情報に基づき、再生信号を生成し出力する再生部を更に有し、
前記制御部は、前記再生部が機能するものと判断すると、前記ネットワーク上の端末器に前記コンテンツ情報を取得させこれに基づきストリーム信号に変換した後に転送させ、前記通信部を介して取得した前記ストリーム信号に基づいて前記再生部により再生させ、前記再生部の機能に障害があると判断すると、前記ネットワーク上の端末器に前記コンテンツ情報を取得させ前記端末器上で再生させるべく制御することを特徴とする請求項１記載の記録再生装置。
【請求項９】
前記制御部は、前記再生部の機能に障害があると判断すると、前記ネットワーク上の端末器に前記コンテンツ情報を再生させることを表示するための表示信号を生成し出力することを特徴とする請求項８記載の記録再生装置。
【請求項１０】
前記制御部は、前記記録再生装置の電源が入っていない状態から電源が投入された際に、前記記録部が以前に記録していた前記コンテンツ情報が再生可能な状態で現在も記録されているかどうかを判断し、これが再生不能であることを検出し、前記通信部又は記録部の機能に障害があり前記外部装置から前記コンテンツ情報を再度取得できないと判断した時、前記通信部を介して、前記ネットワーク上の端末器に前記外部装置からの前記コンテンツ情報の再度の取得を代行させるための指示信号を、前記通信部を介して前記端末器へと送信するべく制御することを特徴とする請求項１記載の記録再生装置。
【請求項１１】
ネットワークを介して外部装置からコンテンツ情報を取得し、
前記取得したコンテンツ情報を記憶領域に記録し、
前記コンテンツ情報が読み出せないことを検出し、記録再生装置の通信機能及び記録機能に障害があり前記外部装置から前記コンテンツ情報を再度取得できないと判断した時、前記通信により、前記ネットワーク上の端末器に前記外部装置からの前記コンテンツ情報の再度の取得を代行させるための指示信号を、前記通信により前記端末器へと送信するべく制御することを特徴とする記録再生方法。
【請求項１２】
前記外部装置から前記コンテンツ情報を取得する際には、前記外部装置へ前記コンテンツ情報を取得しようとするユーザの識別情報を供給し、前記外部装置からは、前記コンテンツ情報を再生する際の復号に用いる復号鍵データと、ライセンスデータとを前記コンテンツ情報と同時に取得し、
前記ネットワーク上の端末器に前記コンテンツ情報の再度の取得を代行させる際には、前記ユーザの識別情報と、前記復号鍵データと、ライセンスデータとを、前記ネットワーク上の端末器に供給することを特徴とする請求項１１記載の記録再生方法。
【請求項１３】
前記ネットワーク上の端末器において前記外部装置から前記コンテンツ情報を再度取得し、この取得された前記コンテンツ情報を与えられた復号鍵データにより復号して得られたストリーミング信号を受けて、このストリーミング信号に基づき再生信号を出力することを特徴とする請求項１１記載の記録再生方法。
【請求項１４】
前記記録されていたコンテンツ情報が再生不能であることを検出し、前記通信機能及び記録機能に障害があり前記外部装置から前記コンテンツ情報を再度取得できないと判断した時、前記通信により前記ネットワーク上の端末器に前記外部装置が前記コンテンツ情報の再度の取得を代行できるかどうかを判断するための情報を要求すべく前記端末器に要求信号を送信し、
前記判断するための情報を前記端末器から取得し、前記端末器が前記コンテンツ情報の代行が可能と判断した時、前記コンテンツ情報を再生する際の復号に用いる復号鍵データを前記端末器に供給するべく制御することを特徴とする請求項１１記載の記録再生方法。
【請求項１５】
前記ネットワーク上の他の端末器から、コンテンツ情報の再度の取得の代行を指示されると、これに応じて前記通信によりネットワーク上の外部装置にアクセスして前記コンテンツ情報の再度の取得を行うことを特徴とする請求項１１記載の記録再生方法。
【請求項１６】
前記ネットワーク上の他の端末器から復号鍵データの供給とコンテンツ情報の再度の取得の代行を指示されると、これに応じて前記ネットワーク上の外部装置にアクセスして前記コンテンツ情報を取得し、取得した前記コンテンツ情報を前記復号鍵データにより復号してストリーム信号を得ると、これを前記他の端末器に送信するべく制御することを特徴とする請求項１１記載の記録再生方法。
【請求項１７】
前記ネットワーク上の他の端末器から、この記録再生装置がコンテンツ情報の再度の取得の代行が可能かどうかを判断するための情報を要求されると、この情報を前記ネットワーク上の他の端末器に供給するべく制御することを特徴とする請求項１１記載の記録再生方法。
【請求項１８】
前記コンテンツ情報に基づき再生信号を生成し出力する前記記録再生装置の再生機能が機能するものと判断すると、前記ネットワーク上の端末器に前記コンテンツ情報を取得させこれに基づきストリーム信号に変換した後に転送させ、前記取得した前記ストリーム信号に基づいて前記再生機能により再生させるものであり、一方、前記再生機能に障害があると判断すると、前記ネットワーク上の端末器に前記コンテンツ情報を取得させて前記端末器上で再生させるべく制御することを特徴とする請求項１１記載の記録再生方法。
【請求項１９】
前記記録再生装置の再生機能に障害があると判断すると、前記ネットワーク上の端末器に前記コンテンツ情報を再生させることを表示するための表示信号を生成し出力することを特徴とする請求項１８記載の記録再生方法。
【請求項２０】
前記記録再生装置の電源が入っていない状態から電源が投入された際に、前記記録領域に以前に記録していた前記コンテンツ情報が再生可能な状態で現在も記録されているかどうかを判断し、これが再生不能であることを検出し、前記通信機能及び記録機能に障害があり前記外部装置から前記コンテンツ情報を再度取得できないと判断した時、前記ネットワーク上の端末器に前記外部装置からの前記コンテンツ情報の再度の取得を代行させるための指示信号を前記端末器へと送信するべく制御することを特徴とする請求項１１記載の記録再生方法。
【発明の詳細な説明】
【技術分野】
【０００１】
この発明は、ネットワークを介してコンテンツ情報を取得し記録・再生する記録再生装置に関し、特に、コンテンツ情報が壊れ更に再取得ができない際にネットワーク上の他の記録再生装置にコンテンツ情報の再度の取得（復旧）を代行させる記録再生装置及び記録再生方法に関する。
【背景技術】
【０００２】
最近のＡＤＳＬ、ＣＡＴＶインターネットなど高速・広帯域ネットワークの普及、家庭内デジタル機器の接続標準の確立に伴い、ユーザはインターネットを介して配信された著作権保護付きコンテンツについて、その保存機器がどの機器であるかを意識せず、再生可能な機器であればどの機器からでも楽しむことができる記録再生装置が望まれている。
【０００３】
しかしながら、記録再生装置において、コンテンツの保存先はＤＶＤ−ＲＯＭやＣＤ−ＲＯＭといった光ディスクに比べると耐久性、信頼性が劣るデジタル機器の内蔵固定ディスクであることが多く、経年劣化やユーザの誤操作によってコンテンツが消去あるいは破壊されて読めなくなる場合がある。
【０００４】
特許文献１では、固定ディスクに別にバックアップデータを保存し、コンテンツが破壊された場合には使用ログを参照しながらバックアップデータを再生するという方法が示されている。
【０００５】
又、特許文献２では、コンテンツ配信を受けた端末がサーバから配信された電子レシートを保持し、コンテンツの再配信要求時には電子レシートをサーバに送信することによりコンテンツ再配信処理の効率化を図るという方法示されている。
【特許文献１】特開２００１−１９５５０９号公報。
【特許文献２】特開２００２−３３４１７３号公報。
【発明の開示】
【発明が解決しようとする課題】
【０００６】
しかしながら、上記した従来技術においては、コンテンツ情報のバックアップデータを記録再生装置内の固定ディスク内にもつことで容量不足を招くということがあり、又、固定ディスクが故障してしまった場合は、再度、サーバにコンテンツの再配信を要求しても保存先自体が無いために再ダウンロードができないという問題がある。
【０００７】
本発明は、内蔵固定ディスクが故障した場合でもネットワーク上の他の端末器によりコンテンツ情報の再取得を代行させることで、著作権の保護とコンテンツ情報の復旧処理とを可能とする記録再生装置及び記録再生方法を提供することを目的とする。
【課題を解決するための手段】
【０００８】
本発明の一実施形態に係る記録再生装置は、ネットワークを介して外部装置からコンテンツ情報を取得する通信部と、前記通信部から取得したコンテンツ情報を記憶領域に記録する記録部と、前記記録部の前記コンテンツ情報が読み出せないことを検出し、前記通信部又は記録部の機能に障害があり前記外部装置から前記コンテンツ情報を再度取得できないと判断した時、前記通信部を介して、前記ネットワーク上の端末器に前記外部装置からの前記コンテンツ情報の再度の取得を代行させるための指示信号を、前記通信部を介して前記端末器へと送信するべく制御する制御部とを具備することを特徴とする記録再生装置である。
【発明の効果】
【０００９】
上記の記録再生装置においては、通信部でネットワーク（主にインターネット）を介して外部装置であるサーバからコンテンツ情報を取得しハードディスク等に記録した後に、コンテンツ情報が壊れたりハードディスクが壊れたりして、コンテンツ情報が読み出せなくなる等、自分でコンテンツ情報を取得ことができない場合、ローカルネットワーク（家庭内ＬＡＮ等）又は広域のネットワーク上の他の端末器（例えば、記録再生装置）に、サーバからのコンテンツ情報の再取得を代行してもらうことができるものである。そして、再度取得したコンテンツ情報は、他の端末器において、復号鍵データで復号してストリーム信号として、初めの記録再生装置に戻され、記録再生装置において再生される。
【発明を実施するための最良の形態】
【００１０】
以下、この発明の実施の形態について図面を参照して詳細に説明する。  
本発明に係る記録再生装置として、図１に示すような通信機能等を有するハードディスクレコーダ１０を例に挙げて、以下に詳細に説明する。
【００１１】
＜本発明の一実施形態に係る記録再生装置＞
初めに、本発明に係る記録再生装置の構成を図面を用いて説明する。図１は、本発明の一実施形態に係る記録再生装置の構成の一例を示すブロック図である。
【００１２】
（構成）
この実施形態では、記録再生装置１０は、記録媒体としてＤＶＤ−ＲＡＭとハードディスクの双方を取り扱うことができる装置として示しているが、ハードディスク又はＤＶＤ−ＲＡＭは、例えば、半導体メモリによる記録媒体などに置換されてもよい。図１の各ブロックを大きく分けると、左側には記録部の主なブロックを示し，右側には再生部の主なブロックを示している。
【００１３】
図１の記録再生装置１０は、２種類のディスクドライブ部を有する。まず、ビデオファイルを構築できる情報記録媒体である第１のメディアとしての光ディスクＤを回転駆動し、情報の読み書きを実行するディスクドライブ部１９を有する。又、第２のメディアとしてのハードディスクを駆動するハードディスクドライブ部１８を有する。制御部３０は、ディスクドライブ部１９及びハードディスクドライブ部１８に記録データを供給することができ、又、再生された信号を受け取ることができる。ディスクドライブ部１９は、光ディスクＤに対する回転制御系、レーザ駆動系、光学系などを有する。
【００１４】
制御部３０は、記録、又は、再生単位のデータを取り扱うもので、バッファ回路、変調・復調回路、エラー訂正部などを含む。又、後に詳述するコンテンツ情報の復旧代行制御部を有している。
【００１５】
又、図１の記録再生装置１０は、録画側を構成するエンコーダ部２１と、再生側を構成するデコーダ部２２と、装置本体の動作を制御する制御部３０とを主たる構成要素としている。
【００１６】
記録再生装置１０は、入力側として、例えば、インターネット等を介してサーバＳ等に接続しコンテンツ情報等をダウンロードしたりするためのネットワークＩ／Ｆ部１１と、アンテナを介して放送信号を選局し復調して映像信号及び音声信号を出力するチューナ部１２と、輝度信号や色差信号、コンポジット等の映像信号、音声信号を受けるための入力部１３等を有しており、これらは、制御部３０等で制御されるセレクタ１６により、入力が制御されて、エンコーダ部２１に選択的に供給される。すなわち、エンコーダ部２１には、入力部１３からの外部アナログビデオ信号や外部アナログオーディオ信号、又は、ＴＶチューナ１２からのアナログビデオ信号とアナログオーディオ信号が、セレクタ１６を介して入力される。
【００１７】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。
【００１８】
エンコーダ部２１の出力は、バッファメモリを含むフォーマッタ部２３にて所定のＤＶＤ−ＲＡＭのフォーマットに変換され、先の制御部３０に供給される。
【００１９】
なお、エンコーダ部２１は、圧縮されたデジタルビデオ信号やデジタルオーディオ信号が直接入力されるときは、圧縮デジタルビデオ信号やデジタルオーディオ信号を直接フォーマッタ部２３に供給することもできる。又、エンコーダ部２１は、アナログデジタル変換されたデジタルビデオ信号やオーディオ信号を、ビデオミキシング部２４やセレクタ部１７に直接供給することもできる。
【００２０】
エンコーダ部２１に含まれるビデオエンコーダでは、デジタルビデオ信号はＭＰＥＧ２、又は、ＭＰＥＧ１規格に基づいた可変ビットレートで圧縮されたデジタルビデオ信号に変換される。デジタルオーディオ信号は、ＭＰＥＧ、又は、ＡＣ−３規格に基づいて固定ビットレートで圧縮されたデジタルオーディオ信号、又はリニアＰＣＭのデジタルオーディオ信号に変換される。
【００２１】
副映像信号が入力部１３から入力された場合（例えば、副映像信号の独立出力端子付ＤＶＤビデオプレーヤからの信号など）、又はこのようなデータ構成のＤＶＤビデオ信号が放送されてそれがＴＶチューナ１２で受信された場合は、ＤＶＤビデオ信号中の副映像信号が副映像エンコーダでエンコード（ランレングス符号化）されて副映像のビットマップとなる。
【００２２】
エンコードされたデジタルビデオ信号、デジタルオーディオ信号、副映像データは、フォーマッタ部２３にてパック化され、ビデオパック、オーディオパック、副映像パックとなり、更にこれらが集合されてＤＶＤ−レコーディング規格（例えば、ＤＶＤ−ＲＡＭ、ＤＶＤ−Ｒ、ＤＶＤ−ＲＷなどに記録する規格）で規定されたフォーマットに変換される。
【００２３】
ここで図１の装置は、フォーマッタ部２３でフォーマット化された情報（ビデオ、オーディオ、副映像データなどのパック）及び作成された管理情報を、制御部３０を介してハードディスクドライブ部１８又はデータディスクドライブ部１９に供給し、ハードディスク部１８又は光ディスクＤに記録することができる。又、ハードディスク部１８又は光ディスクＤに記録された情報を、制御部３０、ディスクドライブ部１９を介して光ディスクＤ又はハードディスクに記録することもできる。
【００２４】
又、ハードディスク又は光ディスクＤに記録されている複数番組のビデオオブジェクトを、一部削除したり、異なる番組のオブジェクトをつなげたり、といった編集処理を行うこともできる。
【００２５】
制御部３０は、ＭＰＵ（マイクロプロセッシングユニット）、又は、ＣＰＵ（セントラルプロセッシングユニット）と、制御プログラム等が書きこまれたＲＯＭと、プログラム実行に必要なワークエリアを提供するためのＲＡＭとを含んでいる。
【００２６】
制御部３０のＭＰＵは、そのＲＯＭに格納された制御プログラムに従い、ＲＡＭをワークエリアとして用いて、ハードディスクドライブ部１９における読出・書込アドレスを決定したり、欠陥場所検出、未記録領域検出、録画情報記録位置設定、ＵＤＦ記録、ＡＶアドレス設定等を行うこともできる。又、制御部３０は、後に詳述するコンテンツ情報の復旧代行処理を制御する働きも有している。
【００２７】
又、制御部３０は、システム全体を制御するために必要な情報処理部を有するもので、上述したワークＲＡＭを有している。更に、他の実施形態として、図示しない、ディレクトリ検出部、編集時及び録画時の管理情報制御部の他に、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備えるものであることも好適である。
【００２８】
ＭＰＵの実行結果のうち、ユーザに通知すべき内容は、記録再生装置の表示部３１に表示されるか、又は、ディスプレイ２６にＯＳＤ（オンスクリーンディスプレイ）表示される。又、制御部３０は、この装置を操作するための操作信号を与える操作部３２を有する。操作部３２は、更に、リモコンＲを伴うことが好適である。
【００２９】
なお、制御部３０が、ディスクドライブ部１９、ハードディスクドライブ部１８、制御部３０、エンコーダ部２１及び／又は、デコーダ部２２などを制御するタイミングは、図示しないＳＴＣ（システムタイムクロック）からの時間データに基づいて実行することができる。録画や再生の動作は、通常はＳＴＣからのタイムクロックに同期して実行されるが、それ以外の処理はＳＴＣとは独立したタイミングで実行されてもよい。
【００３０】
デコーダ部２２は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。又、デコードされた主映像にデコードされた副映像を適宜合成し、主映像にメニュー、ハイライトボタン、字幕やその他の副映像を重ねて出力するビデオプロセッサを備えている。
【００３１】
デコーダ部２２の出力ビデオ信号は、ビデオミキシング部２４に入力される。ビデオミキシング部２４では、テキストデータの合成が行われる。又、ビデオミキシング部２４には、ＴＶチューナ１２や入力部１３からの信号を直接取り込むラインも接続されている。ビデオミキシング部２４には、バッファとして用いる図示しないフレームメモリが接続されている。ビデオミキシング部２４の出力が、セレクタ部１７に供給され、セレクタ部１７により選択されれば、ディスプレイ２６に供給されて表示されるか、Ｉ／Ｆ（インタフェース）部２７を介して外部装置に供給される。
【００３２】
デコーダ部２２の出力オーディオ信号は、セレクタ部１７を介して図示しないデジタルアナログ変換器でアナログ変換されてスピーカ２５に供給されるか、Ｉ／Ｆ部２７を介して外部装置に供給される。セレクタ部１７は、制御部３０からのセレクト信号により制御される。これによりセレクタ部１７は、ＴＶチューナ１２や入力部１３からのデジタル信号を直接モニタする時、エンコーダ部２１をスルーした信号を直接選択することも可能である。
【００３３】
なお、エンコーダ部２１のフォーマッタ部２３では、録画中、各切り分け情報を作成し、定期的に制御部３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００３４】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報に基づいて初期設定が行われる。
【００３５】
制御部３０は、エンコーダ部２１のフォーマッタ部２３からＶＯＢＵ単位のデータを受け取り、ディスクドライブ部１９又はハードディスクドライブ部１８に供給している。又、制御部３０のＭＰＵは、記録したデータを再生するのに必要な管理情報を作成し、データ記録終了のコマンドを認識すると、作成した管理情報を制御部３０に送る。これにより、管理情報がディスクに記録される。従って、エンコードが行われているとき、制御部３０のＭＰＵは、エンコーダ部２１からデータ単位の情報（切り分け情報など）を受け取る。又、制御部３０のＭＰＵは、記録開始時には光ディスク及びハードディスクから読み取った管理情報（ファイルシステム）を認識し、各ディスクの未記録エリアを認識し、データ上の記録エリアを制御部３０を介してディスクに設定している。
【００３６】
又、更に、  制御部３０は、後述するように、例えば、インターネット上に設けられたコンテンツ情報のサーバにネットワークＩ／Ｆ部１１を介してアクセスをし、コンテンツ情報をダウンロードして、ＨＤＤ１８の記憶領域に記録することができる。又、ＨＤＤ１８の記憶領域に記録されたコンテンツ情報は、ユーザの操作に応じて、ＨＤＤ１８から読み出されてデコーダ部２２でデコードされた上で、ビデオミキシング部２４を介して、セレクタ部１７で適宜選択され、スピーカ部２５及びディスプレイ２６又はＩ／Ｆ２７を介して外部装置に供給される。
【００３７】
＜本発明の第１実施形態であるコンテンツ情報の復旧代行処理＞
本発明の第１実施形態は、自身でコンテンツ情報を復旧できない場合にネットワーク上の端末器にコンテンツ情報の復旧を代行させる記録再生装置を特定するものである。以下、図面を用いて、その特徴を説明する。図２は、本発明の一実施形態に係る記録再生装置のネットワーク上のサーバとの信号の送受信を示すシステム図、図３は、本発明の一実施形態に係る記録再生装置のネットワーク上のサーバとの信号の送受信を示すシステム図、図４は、本発明の一実施形態に係る記録再生装置の第１の実施形態を示すフローチャートである。
【００３８】
本発明の一実施形態に係る記録再生装置１０は、自身で復旧できないコンテンツ情報を、家庭内ＬＡＮ等のネットワーク上の端末器に復旧の代行をさせるものであり、今、記録再生装置１０は、図２に示すように、端末器Ｔ１であり、ルータＡを介してインターネットＮを経由しサーバＳにアクセス可能な状態に接続されている。このような接続状態において、記録再生装置１０は、図１に示す制御部３０の図示しないＲＯＭ等に格納されたプログラムの動作により、図４のフローチャートに示すように、端末器Ｔ１からサーバＳにアクセスして、初めに、ユーザＩＤ等をサーバＳに供給することにより、認証処理を行なう（Ｓ１１）。そして、記録再生装置１０は、認証に成功すると、コンテンツ情報の提供を要求し、図２に示すように、サーバＳから復号鍵データＫ、ライセンスデータ（ユーザＩＤ、コンテンツ識別情報ＣＩＤ、ライセンスデータの配布条件の組合せ）Ｌ、コンテンツ情報Ｃを、ネットワークＩ／Ｆ部１１を経由してダウンロードし（Ｓ１２）、コンテンツ情報Ｃは、フォーマッタ部２３で適宜フォーマットした後、ハードディスクドライブ部１８に格納する。又、復号鍵データＫ、ライセンスデータＬ等は、フラッシュＲＯＭ等の信頼性の高い記憶領域に格納することが好適である。この時、ライセンスデータの配布条件は、無制限とされているならば（Ｓ１３）、ライセンスデータをネットワーク上の端末器Ｔ２、Ｔ３…等に配布する（Ｓ１４）。一定の制限が与えられていれば、後に配布してもいいし、制限の範囲で制御部３０により判断して配布することも好適である。
【００３９】
このダウンロードが終了して、他の処理をしたり、記録再生装置１０の電源が切られて、再び電源が投入されたり等、他の処理があってもよく、期間も問わないが、ダウンロードの後に、再び、ユーザがこのコンテンツ情報の再生を操作した場合を考える。このユーザのコンテンツ情報の操作を受けて、コンテンツ情報が再生不能であるとき（Ｓ１５）、ハードディスクドライブ部１８上の他のコンテンツ情報も再生不能かどうかが判断される（Ｓ１６）。これは、他のコンテンツ情報も再生不能であれば、ハードディスクドライブ部１８自体が壊れている可能性があるから、自分では、コンテンツ情報の復旧ができない可能性があることを意味する。この時、ルータＡを介してインターネットＮを経由してサーバＳと通信する機能に障害がないかを一緒に問うものであっても良い。
【００４０】
このようなハードディスクドライブ部１８の機能やネットワークＩ／Ｆ部１１の機能に問題がなければ、記録再生装置１０自身でコンテンツ情報を復旧するべく、再び、ステップＳ１２の手順でコンテンツ情報をダウンロードする（Ｓ１７）。
【００４１】
ハードディスクドライブ部１８の記録機能やネットワークＩ／Ｆ部１１のインターネット等への通信機能に問題があれば、ローカルネットワーク上の他の端末器Ｔ２，Ｔ３等に、コンテンツ情報の復旧を代行させるべく、他の端末器のハードディスク部の空容量や諸機能、予約状況の情報を収集するべく、情報の送信を要求する要求信号を、各端末器Ｔ２，Ｔ３等に送信する（Ｓ１８）。
【００４２】
これに対して、ローカルネットワーク上の端末器Ｔ２等は、復旧代行の可否を判断するために求められた情報、例えば、ハードディスク空容量、通信機能、記録機能、予約録画等の情報を送信する（Ｓ１９）。これらを受けて、記録再生装置１０は、収集した情報に基づき、他の端末器が復旧代行が可能と判断すれば、まだ、ライセンスデータＬを送付していなければ、これを端末器Ｔ２，Ｔ３等に送付する（Ｓ２０）。更に、他の端末器が復旧代行が可能と判断した時、復号鍵データＫを送付すると共に、ここで、フラッシュＲＯＭ等に記憶している復号鍵データＫを削除することが好適である（Ｓ２１）。これにより、コンテンツ情報Ｃの著作権の保護を確実にすることができる。
【００４３】
これに対して、ローカルネットワーク上の端末器Ｔ２等は、図３に示すように、受け取った復号鍵データＫとライセンスデータＬを送付することでサーバＳにアクセスし、サーバＳは、復号鍵データＫとライセンスデータＬにより認証が成功したら、コンテンツ情報Ｃを再度、端末器Ｔ２に供給する。端末器Ｔ２は、これによりコンテンツ情報Ｃをダウンロードして（Ｓ２２）、ハードディスク等の記憶領域等に記録する。そして、端末器Ｔ２等は、ダウンロードしたコンテンツ情報を復号鍵データＫで復号し、このストリーミングを、最初の端末器Ｔ１に送信する（Ｓ２３）。最初の端末器Ｔ１である記録再生装置１０は、この受信したストリーミングを再生することにより（Ｓ２４）、自身の通信機能や記録機能に障害があっても、ローカルエリアネットワーク上の端末器Ｔ２、Ｔ３等を利用して、コンテンツ情報の復旧を代行させることが可能となる。
【００４４】
なお、ここで、利用する端末器は、ローカルエリアネットワーク上である場合に限らず、例えば、インターネットを介して、自宅の端末器により会社の端末器を利用して代用することも好適である。
【００４５】
又、ここでのローカルエリアネットワーク上の他の端末器Ｔ２、Ｔ３は、基本的に、図１の記録再生装置１０の構造をもっていることでも構わない。ここで、記録再生装置１０は、コンテンツ情報の復旧を代行する側の機能と復旧を代行させる側の機能との両方をもっていることが望ましく、制御部３０の図示しないＲＯＭ等の記憶領域に格納されたプログラムとしてこの機能を有していることが好適であり、図４の端末器Ｔ１のフローチャートと、端末器Ｔ２のフローチャートとがそれぞれもつ機能を併せ持っている。
【００４６】
＜本発明の第２実施形態であるコンテンツ情報の復旧代行処理＞
本発明の第２実施形態は、他端末器でコンテンツ情報を復旧した際に、復調したコンテンツ情報を自身の端末器で再生する場合と他の端末器で再生する場合との両方の場合を特定している。
【００４７】
すなわち、本発明の一実施形態に係る記録再生装置１０においては、図５のフローチャートが示すように、ステップＳ１１乃至ステップＳ２２において、図４のフローチャートと同様の工程により、ローカルエリアネットワーク上の他端末器により、コンテンツ情報の復旧が行われる。
【００４８】
ここで、他の端末器が復旧代行が可能と判断した時、復号鍵データＫを送付すると共に、フラッシュＲＯＭ等の符号鍵データＫを削除する（Ｓ２１）。これに対して、ローカルネットワーク上の端末器Ｔ２等は、受け取ったライセンスデータに基づき、サーバＳにアクセスしてコンテンツ情報Ｃを再度、ダウンロードした際に（Ｓ２２）、端末器Ｔ１である記録再生装置１０が、自分でデコーダ部・再生部２２の再生機能がある場合は（Ｓ３１）、他端末器Ｔ２から受信したストリーミングを自身で再生する（Ｓ３４）。端末器Ｔ１である記録再生装置１０が、自分でデコーダ部・再生部２２の再生機能が無い場合は（Ｓ３５）、他の端末器Ｔ２等でコンテンツ情報が再生される旨をユーザに通知するべく、例えば、ディスプレイ２６や、表示部３１で表示する（Ｓ３５）。
【００４９】
一方、他端末器Ｔ２においても、端末器Ｔ１の再生機能がある場合は（Ｓ３２）、ダウンロードしたコンテンツ情報を復号鍵データＫで復号し、このストリーミングを、端末器Ｔ１に送信する（Ｓ３３）。又、端末器Ｔ１である記録再生装置１０が、自分でデコーダ部・再生部２２の再生機能が無い場合は、この端末器Ｔ２において、コンテンツ情報を復号して、ストリーミングに基づき、コンテンツ情報を再生するものである（Ｓ３６）。
【００５０】
これにより、記録再生装置２０の再生機能の状態に応じて、記録再生装置２０自身でストリーミングを再生したり、他の端末器で再生することが可能となる。
【００５１】
＜本発明の第３実施形態であるコンテンツ情報の復旧代行処理＞
本発明の第３実施形態は、記録再生装置の記録領域内のコンテンツ情報の検出を行うタイミングを、第１・第２実施形態のように、再生指示があったときとするのではなく、記録再生装置の電源が投入された時点とすることを特定している。
【００５２】
すなわち、第３実施形態の記録再生装置１０においては、図６のフローチャートが示すように、ユーザの電源スイッチの投入等の操作に応じて、記録再生装置１０の各部に電源が供給される（Ｓ４１）。ここで、ＨＤ上の全てのコンテンツ情報のそれぞれが再生可能な状態にあるかどうかが判断される（Ｓ４２）。再生不能のコンテンツ情報があれば、ハードディスクドライブ部１８上の他のコンテンツ情報も再生不能かどうかが判断されることで、自分ではコンテンツ情報の復旧ができるかどうかが判断される（Ｓ４３）。ハードディスクドライブ部１８の機能だけではなくネットワークＩ／Ｆ部１１の機能にも問題がなければ、記録再生装置１０自身でコンテンツ情報を復旧するべく、再び、ステップＳ１２の手順でコンテンツ情報をダウンロードする（Ｓ４４）。
【００５３】
ハードディスクドライブ部１８の記録機能やネットワークＩ／Ｆ部１１のインターネット等への通信機能に問題があれば、ローカルネットワーク上の他の端末器Ｔ２，Ｔ３等に、コンテンツ情報の復旧を代行させるべく、他の端末器のハードディスク部の空容量や諸機能、予約状況の情報を収集するべく、情報の送信を要求する要求信号を、各端末器Ｔ２，Ｔ３等に送信する（Ｓ４５）。
【００５４】
これに対して、ローカルネットワーク上の端末器Ｔ２等は、復旧代行の可否を判断するために求められた情報、例えば、ハードディスク空容量、通信機能、記録機能、予約録画等の情報を送信する（Ｓ４６）。これらを受けて、記録再生装置１０は、収集した情報に基づき、他の端末器が復旧代行が可能と判断すれば、まだ、ライセンスデータＬを送付していなければ、これを端末器Ｔ２，Ｔ３等に送付する（Ｓ４７）。更に、他の端末器が復旧代行が可能と判断した時、復号鍵データＫを送付すると共に自身の復号鍵データを削除する。
【００５５】
これに対して、ローカルネットワーク上の端末器Ｔ２等は、図３に示すように、受け取ったライセンスデータに基づき、サーバＳにアクセスしてコンテンツ情報Ｃを再度、ダウンロードする（Ｓ４８）。そして、ダウンロードしたコンテンツデータを最初の端末器Ｔ１に送信し（Ｓ４９）、最初の端末器Ｔ１では、このコンテンツ情報を、ハードディスクドライブ部１８等に保存して、ユーザの再生指示等に備えるものである（Ｓ５０）。
【００５６】
以上記載した様々な実施形態により、当業者は本発明を実現することができるが、上述した実施形態に限定されるものではない。
【図面の簡単な説明】
【００５７】
【図１】本発明の一実施形態に係る記録再生装置の構成の一例を示すブロック図。
【図２】本発明の一実施形態に係る記録再生装置のネットワーク上のサーバとの信号の送受信を示すシステム図。
【図３】本発明の一実施形態に係る記録再生装置のネットワーク上のサーバとの信号の送受信を示すシステム図。
【図４】本発明に係る記録再生装置の第１の実施形態の動作を示すフローチャート。
【図５】本発明に係る記録再生装置の第２の実施形態の動作を示すフローチャート。
【図６】本発明に係る記録再生装置の第３の実施形態の動作を示すフローチャート。
【符号の説明】
【００５８】
１１…ネットワークＩ／Ｆ部、１２…チューナ部、１３…入力部、１８…ハードディスクドライバ部、１９…ディスクドライブ部、２０…データ処理部、２１…エンコーダ部、２２…デコーダ部、２３…フォーマッタ部、２４…ビデオミキシング部、２６…ディスプレイ、２７…Ｉ／Ｆ部、３０…制御部（コンテンツ復旧代行部）、３１…表示部、３２…操作部、Ｒ…リモコン。
【図１】
2005346124.tif 000003
【図２】
2005346124.tif 000004
【図３】
2005346124.tif 000005
【図４】
2005346124.tif 000006
【図５】
2005346124.tif 000007
【図６】
2005346124.tif 000008